(57)【要約】【課題】２枚のＩＣカードを収納できてストラップの長さを微調節できるカードホルダーを提供する。【解決手段】２枚のＩＣカードやＩＤカードが収納できるホルダー本体１２と、ホルダー本体に係止しシリコン材で形成される伸縮自在なストラップ１３とからなるカードホルダー１１であって、ホルダー本体は、一方側と他方側とにセパレート板１４を介してカードを収納するホルダー部１５を備え、ホルダー部は、カードの形状に沿った矩形状であると共に、縁部１８を残して全面が開口した第１形状、一部を開口した第２形状、又は全面が閉塞した第３形状の何れかに形成される。【選択図】図１
0003209815.tif 000002
【実用新案登録請求の範囲】
【請求項１】
２枚のＩＣカードやＩＤカードが収納できるホルダー本体と、該ホルダー本体に係止しシリコン材、ゴム材又は合成樹脂材で形成される伸縮自在なストラップとからなるカードホルダーであって、
前記ホルダー本体は、一方側と他方側とにセパレート板を介して前記カードを収納するホルダー部を備え、
該ホルダー部は、前記カードの形状に沿った矩形状であると共に、縁部を残して全面が開口した第１形状、一部を開口した第２形状、又は全面が閉塞した第３形状の何れかに形成されること
を特徴とするカードホルダー。
【請求項２】
前記セパレート板の一方側又は他方側は、係止用の突部が複数箇所に形成され、
前記ストラップの両端部は、係止用のリング部が形成され、
該リング部を複数の前記突部に対して選択的に係止し、且つ前記ストラップの配設経路を前記突部に対して任意に迂回させ又は迂回させないことによって、前記ストラップの長さを複数段階に微調整することが可能な構成であること
を特徴とする請求項１に記載のカードホルダー。
【請求項３】
前記ホルダー部の一部を開口した第２形状は、当該一部を凸形状に切り欠いてカード差込口を開口した形状であること
を特徴とする請求項１に記載のカードホルダー。
【考案の詳細な説明】
【技術分野】
【０００１】
本考案は、カードホルダーに関するものであり、更に詳しくは、２枚のＩＣカードを収納し、あるいはＩＣカードとＩＤカードとを収納して、ストラップで首から吊り下げて使用するカードホルダーに関するものである。
【背景技術】
【０００２】
近年、ＩＣチップが埋め込まれたＩＣカードが広く使用されており、非接触型の交通系ＩＣカードは、電車やバスの乗降だけでなく、販売店の店頭や自動販売機等の様々な場所で使用することができる。
【０００３】
また、ＩＣチップが埋め込まれた社員証や学生証等の非接触型のＩＤ（身分証明）カードが広く使用されており、このＩＤカードを透明なカードケースに収納して、ストラップで首から吊り下げて使用される。
【０００４】
これらＩＣカードやＩＤカードは、改札口や店頭あるいは職場や学校の入り口等に設置される読取り装置にカード情報を読み取らせるので、手に持ったカードを読取り装置に近づける必要がある。
【０００５】
従来、非接触型のＩＤカードを収納するカードホルダーとしては、例えば、特開２００８−２６４２９６号公報に開示された構成のものが知られている。このカードホルダーは、コードが延伸自在に巻き取られたリールと、リールに接続するネックストラップと、コードの先端に取り付けられたバンド部材と、リールとバンド部材とを離隔可能に連結する脱着バックルと、バンド部材に取り付けられてカードを収納する透明なカードケースとから構成される（特許文献１参照）。
【０００６】
このような構成のカードホルダーは、脱着バックルを指で操作して係合状態を解いてから、カードケースを引っ張ればコードが延伸して、ＩＤカードを読取り装置に近づけることができる。また、読み取り後には、コードが自動的にリールに巻き取られる仕組みである。
【先行技術文献】
【特許文献】
【０００７】
【特許文献１】特開２００８−２６４２９６号
【考案の概要】
【考案が解決しようとする課題】
【０００８】
この従来例のカードホルダーにおいては、カードケースにＩＤカードを１枚しか収納できない。つまり、２枚のカードを収納して読取り装置に近づけると、カードが互いに干渉して読み取りエラーが発生するという問題点を有している。
【０００９】
また、カードホルダーは、コードが巻き取られたリールと、バンド部材と、脱着バックルとを備えるので、部材が多く構造が複雑であり、製造コストが嵩むだけでなく、重くなって使いにくいという問題点を有している。
【００１０】
さらに、ＩＤカードを読取り装置に近づけるときには、脱着バックルを指で操作する必要があるので、操作にひと手間掛かって煩わしいという問題点を有している。
【００１１】
従って、従来例におけるカードホルダーにおいては、２枚のカードを収納した時にそれぞれが正常に読み取りできることと、構造を簡単にして製造コストを良好にすると共に軽量化を図ることと、カードを簡単に読取り装置に近づけることに解決しなければならない課題を有している。
【課題を解決するための手段】
【００１２】
前記従来例の課題を解決するための本考案の要旨は、２枚のＩＣカードやＩＤカードが収納できるホルダー本体と、該ホルダー本体に係止しシリコン材、ゴム材又は合成樹脂材で形成される伸縮自在なストラップとからなるカードホルダーであって、前記ホルダー本体は、一方側と他方側とにセパレート板を介して前記カードを収納するホルダー部を備え、該ホルダー部は、前記カードの形状に沿った矩形状であると共に、縁部を残して全面が開口した第１形状、一部を開口した第２形状、又は全面が閉塞した第３形状の何れかに形成されることである。
【００１３】
前記セパレート板の一方側又は他方側は、係止用の突部が複数箇所に形成され、前記ストラップの両端部は、係止用のリング部が形成され、該リング部を複数の前記突部に対して選択的に係止し、且つ前記ストラップの配設経路を前記突部に対して任意に迂回させ又は迂回させないことによって、前記ストラップの長さを複数段階に微調整することが可能な構成としたものである。
また、前記ホルダー部の一部を開口した第２形状は、当該一部を凸形状に切り欠いてカード差込口を開口した形状である構成としたものである。
【考案の効果】
【００１４】
本考案に係るカードホルダーによれば、ホルダー部がホルダー本体の一方側と他方側とにセパレート板を介して２箇所設けられるので、それぞれのホルダー部にＩＣカードやＩＤカードを収納できる。つまり、セパレート板の存在によって、ホルダー本体に２枚のカードを収納しても互いに干渉しない。従って、それぞれのカードを読取り装置に近づけた時に、両方共正常に読み取りがなされるという優れた効果を奏する。
【００１５】
カードホルダーは、ホルダー本体とストラップとから構成されるので、従来例と比較して、部材点数が少なく構造が簡易である。その結果、製造コストが良好であり、また、軽量に形成できて使いやすいという優れた効果を奏する。
【００１６】
ストラップは、シリコン材、ゴム材又は合成樹脂材で伸縮自在に形成されるので、ストラップを伸ばしてホルダー本体を適宜な所に位置させることができる。従って、カードを簡単に読取り装置に近づけることができるという優れた効果を奏する。
【００１７】
セパレート板の一方側又は他方側は、係止用の突部が複数箇所に形成され、ストラップの両端部は、係止用のリング部が形成され、リング部を複数の突部に対して選択的に係止し、且つストラップの配設経路を突部に対して任意に迂回させ又は迂回させないことによって、ストラップの長さを複数段階に微調整することが可能であるという優れた効果を奏する。
【００１８】
ホルダー部の一部を開口した第２形状は、当該一部を凸形状に切り欠いてカード差込口を開口した形状であることによって、カードをカード差込口からホルダー部に差し込むことができて便利であるという優れた効果を奏する。
【図面の簡単な説明】
【００１９】
【図１】第１形状のホルダー部１５を備えるカードホルダー１１の斜視図である。
【図２】第１形状のホルダー部１５を備えるカードホルダー１１の正面図である。
【図３】第２形状のホルダー部１５を備えるカードホルダー１１の斜視図である。
【図４】第２形状のホルダー部１５を備えるカードホルダー１１の正面図である。
【図５】第３形状のホルダー部１５を備えるカードホルダー１１の斜視図である。
【図６】第３形状のホルダー部１５を備えるカードホルダー１１の正面図である。
【図７】本考案に係るカードホルダー１１の側面図である。
【図８】本考案に係るカードホルダー１１の平面図である。
【図９】本考案に係るカードホルダー１１の底面図である。
【図１０】ＩＤカード１９を収納したカードホルダー１１の正面図である。
【図１１】ＩＣカード２１を収納したカードホルダー１１の正面図である。
【図１２】係止用の突部１７とリング部２２との係止関係を説明する説明図である。
【図１３】係止用の突部１７とリング部２２との係止関係を説明する説明図である。
【図１４】係止用の突部１７とリング部２２との係止関係を説明する説明図である。
【図１５】係止用の突部１７とリング部２２との係止関係を説明する説明図である。
【考案を実施するための形態】
【００２０】
次に、本考案の実施の形態について図面を参照しながら説明する。まず、図１から図６において、符号１１はカードホルダーを示し、このカードホルダー１１は、２枚のＩＣカードやＩＤカードが収納できるホルダー本体１２と、ホルダー本体１２に係止する伸縮自在なストラップ１３とから構成される。
【００２１】
ホルダー本体１２は、プラスチック等の合成樹脂材で形成されており、図１から図６に示すように、矩形状を呈している。また、ホルダー本体１２は、一方側と他方側とにセパレート板１４を介してカードを収納するホルダー部１５を備えている。ホルダー本体１２の上部側には、図４、図１２から図１５に示すように、ストラップ１３を挿通させる挿通部１６が２箇所に設けられており、この挿通部１６は溝状に形成されている。
【００２２】
セパレート板１４は、非接触型のＩＣカードやＩＤカードを２枚収納した場合に両者を分離して、カードが互いに干渉して起こる読み取りエラー（誤作動）を防止する役目を果たす。
【００２３】
セパレート板１４の一方側には、係止用の突部１７が整列状態で複数箇所、例えば６箇所に形成されている（図１２から図１５参照）。突部１７は、後述するストラップ１３のリング部２２を係止するための部位である。また、突部１７には、係止状態を維持するための小片１７ａが形成されている。
【００２４】
ホルダー部１５は、カードの形状に沿った矩形状であると共に、その形状は、縁部１８を残して全面が開口した第１形状（第１実施例、図１及び図２参照）、一部を開口した第２形状（第２実施例、図３及び図４参照）、又は全面が閉塞した第３形状（第３実施例、図５及び図６参照）の何れかに形成される。
【００２５】
ホルダー部１５の第１形状、第２形状、及び第３形状について説明する。
［第１実施例］
まず、第１形状は、図１及び図２に示すように、４辺に縁部１８が形成されたカバー体Ａをホルダー本体１２に嵌め込んで形成される。
第１形状のカードの収納は、カバー体Ａをいったん取り外してからカードをセットして、再びカバー体Ａをホルダー本体１２に嵌め込めばよい。
第１形状の場合は、全面が開口しているので、図１０に示すように、ＩＤカード１９を収納した場合に、外側からカード１９に記載された文字や写真が視認できるので便利である。
【００２６】
［第２実施例］
第２形状は、図３及び図４に示すように、カバー体Ｂの一部を凸形状に切り欠いてカード差込口２０を開口した形状である。従って、ＩＣカード２１をカード差込口２０からホルダー部１５に差し込むことができて便利である（図１１参照）。
【００２７】
［第３実施例］
第３形状は、図５及び図６に示すように、全面が閉塞したカバー体Ｃをホルダー本体１２に嵌め込んで形成される。
第３形状のカードの収納は、カバー体Ｃをいったん取り外してからカードをセットして、再びカバー体Ｃをホルダー本体１２に嵌め込めばよい。
第３形状の場合は、図５及び図６に示すように、全面が閉塞しているので、カードを全面的に隠蔽できる。従って、カードに記載された文字情報等を第三者に見られることがない。
【００２８】
ストラップ１３は、図１、図３及び図５に示すように、首から吊り下げて使用できる適宜の長さであり、その両端部は、図２に示すように、係止用のリング部２２が形成されている。
また、ストラップ１３は、望ましくはシリコン材で伸縮自在に形成され、あるいはゴム材又は合成樹脂材で伸縮自在に形成される。従って、ストラップ１３を伸ばしてホルダー本体１２を適宜な所に位置できるので、カードを簡単に読取り装置に近づけることができる。
【００２９】
このように、ストラップ１３の両方の端部には、係止用のリング部２２が形成されており、また、セパレート板１４の一方側には、係止用の突部１７が複数箇所に形成されている。
そして、図２、図１２から図１５にそれぞれ示すように、リング部２２を複数の突部１７に対して選択的に係止し、且つストラップ１３の配設経路を突部１７に対して任意に迂回させ又は迂回させないことによって、ストラップ１３の長さを複数段階に微調整することが可能である。
【００３０】
次に、係止用の突部１７とリング部２２との係止関係の例を図２、図１２から図１５に示して説明する。なお、図１２から図１５は、カバー体Ａ、Ｂ、Ｃを取り外した状態のホルダー本体１２の正面図である。
【００３１】
図１２は、リング部２２を挿通部１６の近傍の突部１７に係止させて、ストラップ１３を挿通部１６と離隔位置の突部１７に迂回させてから、挿通部１６へ挿通させており、このような係止関係によってストラップ１３を短めに微調節している。
これに対して図２では、リング部２２を挿通部１６の近傍の突部１７に係止させて、ストラップ１３を他の突部１７に迂回させないで、直接挿通部１６へ挿通させており、このような係止関係によってストラップ１３を長めに微調節している。
【００３２】
また、図１３は、リング部２２を挿通部１６の近傍の突部１７に係止させて、ストラップ１３を中間位置の挿通部１６に迂回させてから、挿通部１６へ挿通させている。
図１４は、リング部２２を中間位置の突部１７に係止させて、ストラップ１３を他の突部１７に迂回させないで、直接挿通部１６へ挿通させている。
図１５は、リング部２２を挿通部１６と離隔位置の突部１７に係止させて、ストラップ１３を他の突部１７に迂回させないで、直接挿通部１６へ挿通させている。
このように、リング部２２を複数の突部１７に対して選択的に係止すると共に、ストラップ１３の配設経路を突部１７に対して任意に迂回させ又は迂回させないことによって、ストラップ１３の長さを適宜に微調節できるのである。
【００３３】
以上のように構成されるカードホルダー１１は、ホルダー部１５がホルダー本体１２の一方側と他方側とにセパレート板４を介して２箇所設けられるので、それぞれのホルダー部１５にＩＣカードやＩＤカードが収納できる。つまり、セパレート板１４の存在によって、ホルダー本体１２に２枚のカードを収納しても互いに干渉しない。従って、それぞれのカードを読取り装置に近づけた時に、両方共正常に読み取りがなされる。
【００３４】
また、カードホルダー１１は、ホルダー本体１２とストラップ１３とから構成されるので、前述の従来例と比較して、部材点数が少なく構造が簡易である。その結果、製造コストが良好であり、また、軽量に形成できて使いやすい。
【００３５】
ストラップ１３は、シリコン材、ゴム材又は合成樹脂材で伸縮自在に形成されるので、ストラップ１３を伸ばしてホルダー本体１２を適宜な所に位置させることができる。従って、カードを簡単に読取り装置に近づけることができる。
【産業上の利用可能性】
【００３６】
本考案のカードホルダー１１は、ホルダー部１５の形状が、縁部１８を残して全面が開口した第１形状（第１実施例）、一部を開口した第２形状（第２実施例）、又は全面が閉塞した第３形状（第３実施例）の何れかに形成される。
例えば、ホルダー本体１２の一方側を第１形状としてＩＤカード１９を収納し、他方側を第２形状としてＩＣカード２１を収納して、ダブルポケットＩＤカードホルダーとして使用できる。
また、ホルダー本体の一方側を第３形状として、他方側を第２形状としてもよく、この場合は、両方にＩＣカード２１を収納して、ダブルポケットパスホルダーとして使用できる。
その他にも、一方側と他方側との両側を第１形状、第２形状、あるいは第３形状にする等々、販売者の販売方針やユーザーの好みに等に応じて様々な選択や使い方ができる。
【符号の説明】
【００３７】
１１  カードホルダー
１２  ホルダー本体
１３  ストラップ
１４  セパレート板
１５  ホルダー部
１６  挿通部
１７  突部
１７ａ小片
１８  縁部
１９  ＩＤカード
２０  カード差込口
２１  ＩＣカード
２２  リング部
Ａ、Ｂ、Ｃ  カバー体
【図１】
0003209815.tif 000003
【図２】
0003209815.tif 000004
【図３】
0003209815.tif 000005
【図４】
0003209815.tif 000006
【図５】
0003209815.tif 000007
【図６】
0003209815.tif 000008
【図７】
0003209815.tif 000009
【図８】
0003209815.tif 000010
【図９】
0003209815.tif 000011
【図１０】
0003209815.tif 000012
【図１１】
0003209815.tif 000013
【図１２】
0003209815.tif 000014
【図１３】
0003209815.tif 000015
【図１４】
0003209815.tif 000016
【図１５】
0003209815.tif 000017